【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
フォーカスレンズを移動させる駆動手段と、前記駆動手段を制御して焦点調節を行う制御手段とを備えた光学装置であって、
前記制御手段は、前記フォーカスレンズを停止させる制御指令を前記駆動手段に出力してから次のプロセスに移行可能になるまでの待ち時間を設定し、焦点深度に応じて前記待ち時間を変更することを特徴とする光学装置。
【請求項２】
前記制御手段は、第１の焦点深度の場合に、当該第１の焦点深度より浅い第２の焦点深度の場合と比較して、前記待ち時間を短く設定することを特徴とする請求項１に記載の光学装置。
【請求項３】
前記フォーカスレンズを停止させる制御指令が出力されてから前記待ち時間が経過した後で移行可能になる前記プロセスは、記録画像の撮影処理であることを特徴とする請求項１または２に記載の光学装置。
【請求項４】
前記制御手段は、絞り値が第１の値の場合に、前記絞り値が前記第１の値より小さい第２の値の場合と比較して、前記待ち時間を短く設定することを特徴とする請求項１乃至３のいずれか１項に記載の光学装置。
【請求項５】
前記第１の値は所定の絞り値より大きい値であって、前記第２の値は前記所定の絞り値より小さい値であることを特徴とする請求項４に記載の光学装置。
【請求項６】
絞り値が前記第１の値の場合の焦点深度は、絞り値が前記第２の値の場合の焦点深度より深いことを特徴とする請求項４または５に記載の光学装置。
【請求項７】
記録画像の画素数を設定する設定手段を備え、
前記制御手段は、前記設定手段によって設定された画素数が第１の画素数の場合に、当該画素数が前記第１の画素数より多い第２の画素数の場合と比較して、前記待ち時間を短く設定することを特徴とする請求項１乃至６のいずれか１項に記載の光学装置。 
【請求項８】
前記第１の画素数は所定の画素数よりも少なく、前記第２の画素数は所定の画素数よりも多いことを特徴とする請求項７に記載の光学装置。
【請求項９】
前記制御手段は、被写体を撮像する撮像素子の露光時間が第１の時間の場合に、前記撮像素子の露光時間が前記第１の時間より短い第２の時間の場合と比較して、前記待ち時間を短く設定することを特徴とする請求項１乃至８のいずれか１項に記載の光学装置。
【請求項１０】
前記第１の時間は所定の時間よりも長く、前記第２の時間は前記所定の時間よりも短いことを特徴とする請求項９に記載の光学装置。
【請求項１１】
フォーカスレンズを移動させる駆動手段と、
前記駆動手段を制御して焦点調節を行う制御手段と、
記録画像の画素数を設定する設定手段とを備えた光学装置であって、
前記制御手段は、前記フォーカスレンズを停止させる制御指令を前記駆動手段に出力してから次のプロセスに移行可能になるまでの待ち時間を設定し、絞り値に応じて前記待ち時間を変更することを特徴とする光学装置。
【請求項１２】
前記制御手段は、絞り値が第１の値の場合に、前記絞り値が前記第１の値より小さい第２の値の場合と比較して、前記待ち時間を短く設定することを特徴とする請求項１１に記載の光学装置。
【請求項１３】
フォーカスレンズを移動させる駆動手段と、
前記駆動手段を制御して焦点調節を行う制御手段と、
記録画像の画素数を設定する設定手段とを備えた光学装置であって、
前記制御手段は、前記フォーカスレンズを停止させる制御指令を前記駆動手段に出力してから次のプロセスに移行可能になるまでの待ち時間を設定し、前記設定手段によって設定された画素数に応じて前記待ち時間を変更することを特徴とする光学装置。
【請求項１４】
前記制御手段は、前記設定手段によって設定された画素数が第１の画素数の場合に、当該画素数が前記第１の画素数より多い第２の画素数の場合と比較して、前記待ち時間を短く設定することを特徴とする請求項１３に記載の光学装置。
【請求項１５】
フォーカスレンズを移動させる駆動手段と、
前記駆動手段を制御して焦点調節を行う制御手段と、
被写体を撮像する撮像素子とを備えた光学装置であって、
前記制御手段は、前記フォーカスレンズを停止させる制御指令を前記駆動手段に出力してから次のプロセスに移行可能になるまでの待ち時間を設定し、前記撮像素子の露光時間に応じて前記待ち時間を変更することを特徴とする光学装置。
【請求項１６】
前記制御手段は、前記撮像素子の露光時間が第１の時間の場合に、前記撮像素子の露光時間が前記第１の時間より短い第２の時間の場合と比較して、前記待ち時間を短く設定することを特徴とする請求項１５に記載の光学装置。
【請求項１７】
フォーカスレンズを移動させる駆動手段と、前記駆動手段を制御して焦点調節を行う制御手段とを備えた光学装置であって、
前記光学装置の姿勢を検出する姿勢検出手段を備え、
前記制御手段は、前記フォーカスレンズを停止させる制御指令を前記駆動手段に出力してから次のプロセスに移行可能になるまでの待ち時間を設定し、前記姿勢検出手段によって検出された前記光学装置の姿勢に応じて前記待ち時間を変更することを特徴とする光学装置。
【請求項１８】
前記制御手段は、前記フォーカスレンズを含む撮影光学系の光軸が重力方向に対して平行になる第１の姿勢が前記姿勢検出手段により検出された場合と比較して、前記第１の姿勢と異なる第２の姿勢が前記姿勢検出手段により検出された場合の前記待ち時間を短く設定することを特徴とする請求項１７に記載の光学装置。
【請求項１９】
フォーカスレンズを移動させる駆動手段を備えた光学装置にて実行される制御方法であって、
前記駆動手段を制御して焦点調節を行うステップと、
前記フォーカスレンズを停止させる制御指令を前記駆動手段に出力してから次のプロセスに移行可能になるまでの待ち時間を設定するステップとを有し、
前記待ち時間は、焦点深度に応じて変更されることを特徴とする光学装置の制御方法。
【請求項２０】
フォーカスレンズを移動させる駆動手段を備えた光学装置にて実行される制御方法であって、
前記駆動手段を制御して焦点調節を行うステップと、
前記フォーカスレンズを停止させる制御指令を前記駆動手段に出力してから次のプロセスに移行可能になるまでの待ち時間を設定するステップとを有し、
前記待ち時間は、絞り値に応じて変更されることを特徴とする光学装置の制御方法。
【請求項２１】
フォーカスレンズを移動させる駆動手段と、記録画像の画素数を設定する設定手段とを備えた光学装置にて実行される制御方法であって、
前記駆動手段を制御して焦点調節を行うステップと、
前記フォーカスレンズを停止させる制御指令を前記駆動手段に出力してから次のプロセスに移行可能になるまでの待ち時間を設定するステップとを有し、
前記待ち時間は、前記設定手段によって設定された画素数に応じて変更されることを特徴とする光学装置の制御方法。
【請求項２２】
フォーカスレンズを移動させる駆動手段と、被写体を撮像する撮像素子を備えた光学装置にて実行される制御方法であって、
前記駆動手段を制御して焦点調節を行うステップと、
前記フォーカスレンズを停止させる制御指令を前記駆動手段に出力してから次のプロセスに移行可能になるまでの待ち時間を設定するステップとを有し、
前記待ち時間は、前記撮像素子の露光時間に応じて変更されることを特徴とする光学装置の制御方法。
【請求項２３】
フォーカスレンズを移動させる駆動手段を備えた光学装置にて実行される制御方法であって、
前記駆動手段を制御して焦点調節を行うステップと、
前記光学装置の姿勢を検出するステップと、
前記フォーカスレンズを停止させる制御指令を前記駆動手段に出力してから次のプロセスに移行可能になるまでの待ち時間を設定するステップとを有し、
前記待ち時間は、検出された前記光学装置の姿勢に応じて変更されることを特徴とする光学装置の制御方法。
【手続補正２】
【補正対象書類名】明細書
【補正対象項目名】０００５
【補正方法】変更
【補正の内容】
【０００５】
本発明の一実施形態の撮像装置は、フォーカスレンズを移動させる駆動手段と、前記駆動手段を制御して焦点調節を行う制御手段とを備えた光学装置であって、前記制御手段は、前記フォーカスレンズを停止させる制御指令を前記駆動手段に出力してから次のプロセスに移行可能になるまでの待ち時間を設定し、焦点深度に応じて前記待ち時間を変更する。
【手続補正３】
【補正対象書類名】明細書
【補正対象項目名】００１１
【補正方法】変更
【補正の内容】
【００１１】
次に撮像装置の動作について説明する。以下の説明において記憶や判定などの処理は、特に説明しない限り、プログラムメモリ１１２に記憶されたプログラムに基づいてＣＰＵ１１１が行うものとする。また演算結果や各種処理データの記憶については、特に説明しない限り、ワークメモリ１１３に記憶されるものとする。
図２は撮像装置の全体的な動作を説明するフローチャートである。
まずＳ２０１では、撮影準備を指示するＳＷ１の状態が判定され、ＳＷ１がＯＮ状態ならばＳ２０４へ進み、ＳＷ１がＯＦＦ状態ならばＳ２０２へ進む。Ｓ２０２では、撮影待機時の画像を図示しない画像表示部に表示するためのＥＶＦ処理が実行される。このＥＶＦ処理ではＡＥ、ＡＦ、オートホワイトバランス（ＡＷＢ）、表示用画像処理、図示しない画像表示部への画像表示処理などがＣＰＵ１１１の制御下で行われる。Ｓ２０３では後述する手順に従って記録画素数が設定される。
Ｓ２０４は本撮影用ＡＥ処理であり、Ｓ２０５は本撮影用ＡＦ処理である。これらの処理は後述する手順に従って行われる。Ｓ２０６では撮影処理を指示するＳＷ２の状態が判定され、ＳＷ２がＯＮ状態ならばＳ２０７へ進み、ＳＷ２がＯＦＦ状態ならば、再びＳＷ２の状態の判定が行われる。Ｓ２０７では撮像素子１０７への露光と読み出し、画像処理プロセッサ１０９による画像処理、図示しない記録媒体への記録などの撮影処理が行われる。